(57)【要約】      （修正有）【課題】第一の種類の通貨を第二の種類の通貨と交換する方法を提供する。【解決手段】使用者は、店頭交換装置が生成した交換コードを、インターネット接続を有するモバイルコンピューティングデバイスにより読取り、交換コードと支払情報を、店頭交換装置会社サーバに送信して、使用者の口座から、店頭交換装置会社の口座に貨幣を振込むと、認証コードが、使用者のモバイルコンピューティングデバイスに送信され、受信した認証コードを店頭交換装置に入力して、第１種類のクレジット又は通貨を、第２種類のクレジット又は通貨に交換する。【選択図】図１１
2017107521.tif 000002
【特許請求の範囲】
【請求項１】
店頭交換装置及びモバイルコンピューティングデバイスを使用して第一の種類の通貨を第二の種類の通貨と交換する方法であって、当該方法は：
前記店頭交換装置を通して、使用者が交換を望む第一の種類の通貨の額を指示するステップ；
前記店頭交換装置が、使用者が交換を望む第一の種類の通貨の指示された額に対応する交換コードを生成し、前記店頭交換装置の表示器に前記交換コードを表示する、ステップ；
前記モバイルコンピューティングデバイスでアプリケーションプログラム（アプリ）を実行するステップであり、前記アプリは前記第一の種類の通貨へのアクセスを提供する支払システムに対応する、ステップ；
使用者が、前記交換コードを前記アプリに入力するステップ；
前記アプリが、前記店頭交換装置を運営する会社によって運営される店頭交換装置会社サーバとの接続を確立し、前記アプリが、前記店頭交換装置会社サーバに支払情報及び受取人情報と共に前記交換コードに含まれるデータを送信する、ステップ；
前記店頭交換装置会社サーバが支払情報及び受取人情報と共に前記交換コードに含まれる前記データを受信することに応じて、前記店頭交換装置会社サーバが、前記第一の種類の通貨へのアクセスを提供する前記支払システムに、前記第一の種類の通貨へのアクセスを提供する前記支払システムを使って使用者の口座から前記第一の種類の通貨の指示された額を差し引き、前記第一の種類の通貨の指示された額を、前記店頭交換装置を運営する会社によって所有される口座に移すように命令するステップ；
前記店頭交換装置会社サーバが、前記アプリに認証コードを送信するステップ；
使用者が、前記アプリから前記認証コードを受け取り、前記店頭交換装置に前記認証コードを入力するステップ；及び
前記認証コードの受け取りに応じて、前記認証コードが承認されたと前記店頭交換装置が決定した場合に、前記店頭交換装置が、使用者に前記第二の種類の通貨を引き渡すステップ、
を含む、方法。
【請求項２】
前記交換コードは、一次元バーコード又は二次元バーコードである、請求項１に記載の方法。
【請求項３】
前記交換コードは、英数字コードである、請求項１に記載の方法。
【請求項４】
前記交換コードは、暗号化されている、請求項１に記載の方法。
【請求項５】
前記店頭交換装置会社サーバは、暗号化された前記交換コードに含まれるデータを解読する、請求項４に記載の方法。
【請求項６】
前記交換コードを前記アプリに入力するステップは、前記モバイルコンピューティングデバイスのカメラを使用して前記交換コードをスキャンするサブステップを含む、請求項１に記載の方法。
【請求項７】
前記交換コードを前記アプリに入力するステップは、使用者が、前記モバイルコンピューティングデバイスのキーボードを使用して前記交換コードを手動で入力するサブステップを含む、請求項１に記載の方法。
【請求項８】
前記交換コードを前記アプリに入力した後に、当該方法は：
前記第一の種類の通貨を交換することを使用者が望むことを、確認するように使用者に促すステップ；及び
前記第一の種類の通貨を交換することを使用者が望むことの、使用者からの確認を受け取るステップ、
を更に含む、請求項１に記載の方法。
【請求項９】
前記店頭交換装置が前記第二の種類の通貨を引き渡すために、使用者は、所定の期間内に前記店頭交換装置に前記認証コードを入力しなければならない、請求項１に記載の方法。
【請求項１０】
前記認証コードは、一回限りの使用のコードである、請求項１に記載の方法。
【請求項１１】
前記認証コードは、英数字コードである、請求項１に記載の方法。
【請求項１２】
前記認証コードは、前記店頭交換装置のカメラによってスキャンされる一次元又は二次元のバーコードである、請求項１に記載の方法。
【請求項１３】
前記認証コードは、使用者のバイオメトリックデータである、請求項１に記載の方法。
【請求項１４】
前記認証コードが承認されたと前記店頭交換装置が決定することは、前記認証コードを前記店頭交換装置のデータベースに含まれる複数のコードと比較し、前記認証コードが、前記データベースに含まれる前記複数のコードのうちの一つのコードに一致する場合に、前記認証コードを承認するサブステップを含む、請求項１に記載の方法。
【請求項１５】
前記第二の種類の通貨は、現金である、請求項１に記載の方法。
【請求項１６】
前記第二の種類の通貨は、一つ又はそれ以上の代用貨幣である、請求項１に記載の方法。
【請求項１７】
前記第二の種類の通貨は、一つ又はそれ以上の産物である、請求項１に記載の方法。
【請求項１８】
店頭交換装置はインターネットアクセスを有しておらず、前記モバイルコンピューティングデバイスはインターネットアクセスを有する、請求項１に記載の方法。
【発明の詳細な説明】
【技術分野】
【０００１】
本発明は通貨交換方法（currency  exchange  method）に関し、より具体的には、オフラインの店頭第三者支払システム及びインターネット接続されたモバイルコンピューティングデバイスを使用した通貨交換方法に関する。
【背景技術】
【０００２】
現在、両替機は機能が限定されている。典型的に、札両替機としても知られる両替機は、設備を運営するために代用貨幣（tokens）又は硬貨（coins）が必要とされ、銀行券（bank  notes）又は札（bills）としても知られる紙の通貨を設備が受け入れることができない所では、どこでも見られる。近くに両替機があることによって恩恵を受けるであろう設備の例は、硬貨投入式の洗濯施設、自動販売機、パーキングメーター又はゲームセンターを含む。両替機は、使用者が札を設備で使用することができる硬貨又は代用貨幣と交換することを可能にし、それにより最初は要求される硬貨又は代用貨幣を持たない使用者がそれでも設備を使用できることを可能にする。
【０００３】
しかしながら、両替機は、単一の第一の通貨種類の札を単一の第二の通貨種類の硬貨又は代用貨幣と交換することに通常は限られる。加えて、使用者は、しばしは、交換を行うために第一の通貨種類の札を手元に持たなければならない。したがって、両替機の実用性は、それらがその他の第一の通貨種類を受け入れられないことにより限定される。
【発明の概要】
【発明が解決しようとする課題】
【０００４】
したがって、本願発明の主要な目的の一つは、店頭交換装置及びモバイルコンピューティングデバイスを使用して、第一の種類の通貨を第二の種類の通貨と交換する方法を提供することである。
【課題を解決するための手段】
【０００５】
特許請求される本発明の一つの例示的な実施形態によれば、店頭交換装置（point  of  sale  exchange  machine）及びモバイルコンピューティングデバイスを使用して第一の種類の通貨（first  type  of  currency）を第二の種類の通貨と交換する方法が開示される。当該方法は、店頭交換装置を通して、使用者が交換を望む第一の種類の通貨の額を指示するステップ；店頭交換装置が、使用者が交換を望む第一の種類の通貨の指示された額に対応する交換コードを生成し、店頭交換装置の表示器に交換コードを表示する、ステップ；モバイルコンピューティングデバイスでアプリケーションプログラム（アプリ）を実行するステップであり、アプリは第一の種類の通貨へのアクセスを提供する支払システムに対応する、ステップ；使用者が、交換コードをアプリに入力するステップ；アプリが、店頭交換装置を運営する会社によって運営される店頭交換装置会社サーバとの接続を確立し、アプリが、店頭交換装置会社サーバに支払情報及び受取人情報と共に交換コードに含まれるデータを送信する、ステップ；店頭交換装置会社サーバが支払情報及び受取人情報と共に交換コードに含まれるデータを受信することに応じて、店頭交換装置会社サーバが、第一の種類の通貨へのアクセスを提供する支払システムに、第一の種類の通貨へのアクセスを提供する支払システムを使って使用者の口座から第一の種類の通貨の指示された額を差し引き、第一の種類の通貨の指示された額を、店頭交換装置を運営する会社によって所有される口座に移すように命令するステップ；店頭交換装置会社サーバが、アプリに認証コードを送信するステップ；使用者が、アプリから認証コードを受け取り、店頭交換装置に認証コードを入力するステップ；及び、認証コードの受け取りに応じて、認証コードが承認されたと店頭交換装置が決定した場合に、店頭交換装置が、使用者に第二の種類の通貨を引き渡す（releasing）ステップ、を含む。
【０００６】
本発明が、第二の種類の通貨と交換される第一の種類の通貨としての使用のために様々な異なる通貨、仮想通貨又は第三者支払システム通貨にアクセスする方法を提供することは、一つの利点である。さらに、店頭交換装置は、機能するためにインターネット接続を有する必要がない。モバイルコンピューティングデバイスのインターネット接続は、交換が行われることを可能にするために十分である。したがって、店頭交換装置は、様々な異なる場所に容易に配置されることができ、インターネット接続が無いことによって低い運営コストを有することができる。
【０００７】
これら及び他の本発明の目的は、様々な図表及び図面に示される好ましい実施形態の以下の詳細な記述を読んだ後に、疑いなく、当業者にとって明らかになるであろう。
【図面の簡単な説明】
【０００８】
【図１】使用者の第一の種類のクレジット又は通貨にアクセスするために使用されるアプリケーション（アプリ）を実行するために使用されるモバイルコンピューティングデバイスの機能ブロック図である。
【０００９】
【図２】第一の種類の通貨の第二の種類の通貨への交換を容易にするために使用される店頭交換装置の機能ブロック図である。
【００１０】
【図３】モバイルコンピューティングデバイス、店頭交換装置会社サーバ及びアプリ会社サーバの間の相互作用を示す機能ブロック図である。
【００１１】
【図４】本発明の第一の実施形態による店頭交換装置の前面−左面図を示す。
【００１２】
【図５】本発明の第一の実施形態による店頭交換装置の前面−右面図を示す。
【００１３】
【図６】本発明の第一の実施形態による店頭交換装置の上半分の前面図を示す。
【００１４】
【図７】本発明の第一の実施形態による店頭交換装置の前面図を示す。
【００１５】
【図８】店頭交換装置の外側カバーが無い状態の、本発明の第一の実施形態による店頭交換装置の上部の前面図を示す。
【００１６】
【図９】使用者がどれだけの貨幣を交換するかを選択する前に、店頭交換装置の表示器に示される初期画面表示を示す。
【００１７】
【図１０】使用者がどれだけの貨幣を交換するかを選択した後に、店頭交換装置の表示器に示される第二の画面表示を示す。
【００１８】
【図１１】モバイルコンピューティングデバイス、店頭交換装置、店頭交換装置会社サーバ及びアプリ会社サーバを使用して第一の種類の通貨を第二の種類の通貨に転換する方法を記述する流れ図である。
【発明を実施するための形態】
【００１９】
本発明は、多数の異なる第一の種類のクレジット又は通貨を、一つ又はそれ以上の異なる第二の種類のクレジット又は通貨と交換することができる店頭交換装置を提供することによって、従来の両替機を改良することを追及する。
【００２０】
図１を参照されたい。図１は、使用者の第一の種類のクレジット又は通貨にアクセスするために使用されるアプリケーション（アプリ）２２を実行するために使用されるモバイルコンピューティングデバイス１０の機能ブロック図である。この第一の種類のクレジット又は通貨の例は、ＰａｙＰａｌ（登録商標）、ビットコイン（登録商標）、アリババ（登録商標）ｅ−クレジット、アマゾン（登録商標）ギフトクレジット、ビデオゲーム仮想通貨、航空会社のマイル、百貨店のポイント、スーパーマーケットのポイント及びその他の類似の形式の通貨、ポイント又はクレジットのような、第三者支払システム（third  party  payment  systems）を含む。アプリ（app）２２は、使用者が、そのアプリに対応する使用者の蓄えられた通貨、ポイント又はクレジットにアクセスすることを可能にするであろう。例えば、仮にアプリ２２がＰａｙＰａｌ（登録商標）アプリであれば、そのときアプリ２２は、使用者が、使用者の蓄えられたＰａｙＰａｌ（登録商標）クレジットにアクセスすることを可能にするであろう。以下の記述において、用語“第一の種類の通貨”は、使用者が“第二の種類の通貨”と交換しようとするこれらの蓄えられた通貨、ポイント又はクレジットのいずれかを記述するために使用されるであろう。第二の種類の通貨もまた、現金、代用貨幣、又はゲーム機上のゲーム用クレジット等のその他の形式のクレジットのような、いくつかの異なる形式を含む。
【００２１】
モバイルコンピューティングデバイス１０は、好ましくはタッチスクリーンである表示器（display）１２、カメラ１４、モバイルコンピューティングデバイス１０の動作を制御するための処理装置１６、及び無線送受信器（wireless  transceiver）１８を含む。その無線送受信器は、例えば、ワイファイ（Wireless  Fidelity（Ｗｉ−Ｆｉ））（登録商標）送受信器、又は、第三世代の移動遠隔通信技術（３Ｇ）送受信器若しくは第四世代の移動遠隔通信技術（４Ｇ）送受信器のようなモバイルインターネット送受信器である。モバイルコンピューティングデバイス１０は記憶装置２０も含む。記憶装置２０は、アプリ２２並びにアプリ２２と共に使用されるアプリデータ２４を記憶する。記憶装置２０は、好ましくはフラッシュメモリのような不揮発性メモリである。モバイルコンピューティングデバイス１０は、表示器、入力装置及びある種のインターネット接続を有する如何なるモバイルデバイスであってもよく、例えばタブレットコンピュータ又はスマートフォンであるが、ノートブック型コンピュータのようなその他のデバイスも同様に使用され得る。
【００２２】
図２を参照されたい。図２は、第一の種類の通貨の第二の種類の通貨への交換を容易にするために使用される店頭交換装置３０の機能ブロック図である。店頭交換装置３０は、好ましくはタッチスクリーンである表示器３２、店頭交換装置３０の動作を制御するための制御装置３４、交換に関するデータを記憶するための不揮発性メモリに記憶されたデータベース３６、店頭交換装置３０から硬貨、代用貨幣、チケット、証票（vouchers）、購入された産物（products）又はその他の品物を分配するためのプロダクトディスペンサー（product  dispenser）３８を有する。店頭交換装置３０が実際には如何なる品物も分配せず、代わりに第一の種類の通貨を、店頭交換装置３０から分配される代わりに記憶された第二の種類の通貨に交換するだけの場合には、プロダクトディスペンサー３８は任意的であってもよい。この記憶された第二の種類の通貨の例は、使用者の口座に加えられ得るゲーム用クレジットを含み、このゲーム用クレジットはビデオゲーム機又はスロットマシンのようなゲーム機で消費される。
【００２３】
図３を参照されたい。図３は、モバイルコンピューティングデバイス１０、店頭交換装置会社サーバ４０及びアプリ会社サーバ５０の間の相互作用を示す機能ブロック図である。第一の種類の通貨を第二の種類の通貨と交換する手順の間、モバイルコンピューティングデバイス１０は、店頭交換装置３０を運営する会社によって運営されるサーバである、店頭交換装置会社サーバ４０への接続を確立することができる。このモバイルコンピューティングデバイス１０と店頭交換装置会社サーバ４０との間の接続は、好ましくはインターネットを経由して行われ、モバイルコンピューティングデバイス１０は、無線送受信器１８を経由してインターネットに接続する。店頭交換装置会社サーバ４０もアプリ会社サーバ５０への接続を確立し、この接続も好ましくはインターネットを経由して行われる。モバイルコンピューティングデバイス１０、店頭交換装置会社サーバ４０及びアプリ会社サーバ５０の間の相互作用は、以下でより詳細に記述されるであろう。
【００２４】
図４を参照されたい。図４は、本発明の第一の実施形態による店頭交換装置３０の前面−左面図を示す。店頭交換装置３０の表示器３２は、店頭交換装置３０の前面の上部の中央付近に示されている。また、プロダクトディスペンサー３８は、店頭交換装置３０の前面の左側−中央の付近である。二つの札受容スロット３１及び３３は表示器３２の右側及び右下に示されており、これらの札受容スロット３１及び３３は、使用者から札（紙幣（paper  currency））を受け入れるために使用され得る。二つの札受容スロット３１及び３３を有することは、同じ通貨の異なる大きさの札が受け入れられることを可能にし、又は異なる種類の通貨の札が受け入れられることを可能にする。これらの札は、第二の種類の通貨と後に交換され得る、第一の種類の通貨になるであろう。札受容スロットを両替機に実装することは、当分野において良く知られており、本発明の焦点は、札を他の形式の通貨と交換することにはない。そのため、これら二つの札受容スロット３１及び３３は、更に詳細には記述されない。図４乃至図８に示される表示器３２、札受容スロット３１及び３３、並びにプロダクトディスペンサー３８の相対的な位置は一つの例としてのみ提供されており、位置は、店頭交換装置３０の機能性を確かにするために動かされてもよいことが、留意されるべきである。
【００２５】
図５は、本発明の第一の実施形態による店頭交換装置３０の前面−右面図を示す。図６は、本発明の第一の実施形態による店頭交換装置３０の上半分の前面図を示す。図７は、本発明の第一の実施形態による店頭交換装置３０の前面図を示す。図８は、店頭交換装置３０の外側カバーが無い状態の、本発明の第一の実施形態による店頭交換装置３０の上部の前面図を示す。
【００２６】
図９を参照されたい。図９は、使用者がどれだけの貨幣を交換するかを選択する前に、店頭交換装置３０の表示器３２に示される初期画面表示６０を示す。図９の初期画面表示６０は、左半分と右半分に分けられ得る。初期画面表示６０の左半分の上端部は、使用者に、使用者が交換を望む金額（dollar  amount）を選択するように促す。初期画面表示６０の左半分の中間部において、使用者は、例えば＄１，＄５，＄１０，＄２０，＄５０及び＄１００のような、異なる金額の複数の選択肢を与えられる。初期画面表示６０の左半分の下端部は、使用者に、例えば“＄１０の価値のクレジットの購入で、無料で＄１２の価値のクレジットを獲得”又は“＄２０の価値のクレジットの購入で、無料で＄２５の価値のクレジットを獲得”のような、使用者が利用することができる現在のプロモーションのことを通知する。初期画面表示６０の右半分は、数字パッド並びに右端側の複数の機能ボタンを含む。これらの機能ボタンは、“リターン”機能、“バックスペース”機能、“クリア”機能及び“確認（confirm）”機能を含む。初期画面表示６０の右半分の下端部は、これらの額のいずれかが決定されるとすぐに店頭交換装置３０が分配するであろう、金額の表示又は代用貨幣の額の表示を含む。使用者が初期画面表示６０の左半分に示される予め定められた金額の一つを使用することを望まない場合は、使用者は、任意的に、初期画面表示６０の右半分上の数字パッドを使用して異なる金額を打ち込むことができる。
【００２７】
本実施例において、使用者が初期画面表示６０を示された後に、その使用者が、初期画面表示６０の左半分で＄１の金額を交換する選択を行うと仮定されたい。その使用者が＄１に対応するボタンを押し、次いで、図１０に図示される画面表示が示される。図１０を参照されたい。図１０は、使用者がどれだけの貨幣を交換するかを選択した後に、店頭交換装置３０の表示器３２に示される第二の画面表示６２を示す。
【００２８】
図９の初期画面表示６０と同様に、図１０の第二の画面表示６２も左半分と右半分に分けられ得る。第二の画面表示６２の左半分の上端部は、使用者に、＄１の金額に対応するバーコード（この場合はＱＲコード（登録商標）のような二次元バーコード）が示されているというメッセージを与え、この真下に二次元バーコードが表示される。その二次元バーコードに含まれるデータは、好ましくは暗号化されており、使用者が二次元バーコードの内容を容易に解読することを防止する。二次元バーコードのすぐ下で、以下で説明されるように、使用者は認証コード（authorization  code）を入力するように促される。第二の画面表示６２の左半分の下端部は、図９の初期画面表示６０のそれと同じである。第二の画面表示６２の右半分もまた、図９の初期画面表示６０のそれと同じである。
【００２９】
図１１を参照されたい。図１１は、モバイルコンピューティングデバイス１０、店頭交換装置３０、店頭交換装置会社サーバ４０及びアプリ会社サーバ５０を使用して第一の種類の通貨を第二の種類の通貨に転換する（converting）方法を記述する流れ図である。フローチャート内の複数のステップは、以下のように説明されることができる。
【００３０】
ステップ１００：開始。
【００３１】
ステップ１０２：使用者が、店頭交換装置３０を使用し、図９に示される初期画面表示６０を通して、使用者がいくらの金額の交換を望むかを指示する。
【００３２】
ステップ１０４：ステップ１０２において使用者から金額の選択を受け取ることに応じて、店頭交換装置３０が、選択された金額に対応する交換コードを生成し、店頭交換装置３０の表示器３２にこの交換コードが示される。交換コードは、一次元バーコード、図１０に示される第二の画面表示６２に示されるもののような二次元バーコード、英数字コード又はその他の種類のコードであってもよい。交換コードはまた、任意的に、そこに含まれるデータを更に良く保護するために暗号化されていてもよい。
【００３３】
ステップ１０６：使用者が、使用者のモバイルコンピューティングデバイス１０でアプリ２２を開く。アプリ２２は、使用者が第二の種類の通貨と交換することを望む第一の種類の通貨に、使用者がアクセスすることを可能にする。
【００３４】
ステップ１０８：使用者が、モバイルコンピューティングデバイス１０のアプリ２２及びカメラ１４を使用して交換コードをスキャンする。いくつかの実施形態において、使用者はまた、モバイルコンピューティングデバイス１０のキーボードを使用して交換コードをアプリ２２に手動で入力してもよい。アプリ２２は、そのとき交換コードの内容を読み取ってもよい。
【００３５】
ステップ１１０：アプリ２２が、第一の通貨を交換することを使用者が望むことを、確認するように使用者に促す。使用者の確認を受け取ることにより、ステップ１１２が実行される。
【００３６】
ステップ１１２：モバイルコンピューティングデバイス１０で作動するアプリ２２が、店頭交換装置３０を運営する会社（company）によって運営される、店頭交換装置会社サーバ４０との接続を確立し得る。アプリ２２が、店頭交換装置会社サーバ４０に交換コードに含まれるデータを送信し得る。アプリ２２はまた、店頭交換装置会社サーバ４０に支払情報及び受取人情報を送信し得る。
【００３７】
ステップ１１４：交換コードが暗号化された場合は、店頭交換装置会社サーバ４０が、交換コードに含まれるデータを解読し、アプリ２２から支払情報及び受取人情報を受信し得る。店頭交換装置会社サーバ４０は、次いで、アプリ会社サーバ５０と通信し得る。アプリ会社サーバ５０は、次いで、アプリ会社のために、使用者の第一の種類の通貨の口座（account）から貨幣を差し引き、この貨幣を、店頭交換装置３０及び店頭交換装置会社サーバ４０を運営する会社によって所有される（owned）口座に移す。
【００３８】
ステップ１１６：店頭交換装置会社サーバ４０がアプリ会社サーバ５０に認証コード（authorization  code）を送信し、アプリ会社サーバ５０が、モバイルコンピューティングデバイス１０で作動するアプリ２２を使用して、今度はこの確認コード（confirmation  code）を使用者に送信する。他の実施形態において、店頭交換装置会社サーバ４０は、認証コードを直接アプリ２２に送信してもよい。アプリ２２を通してこの認証コードを受け取ることにより、使用者は、次いで図１０に示される第二の画面表示６２に認証コードを入力する。強化された安全性のために、店頭交換装置３０は、使用者が所定の期間内に認証コードを入力しなければならないという時間制限を使用者に与えてもよく、また、この認証コードは、不正行為を防止する一回限りの使用のコードであってもよい。認証コードは、英数字コードであってもよく、店頭交換装置３０がモバイルコンピューティングデバイス１０の表示器１２をスキャンすることができるカメラを有する場合には一次元又は二次元のバーコードであってもよく、使用者のバイオメトリックデータであってもよく、又はその他の種類の認証コードであってもよい。ステップ１１６に示されるこれらの手順は、店頭交換装置３０がオフラインであり、アクティブなインターネット接続を有しない場合にのみ必要であることに留意されたい。店頭交換装置３０がオンラインであり、インターネットアクセスを有する場合は、そのときは、店頭交換装置会社サーバ４０が直接的に店頭交換装置３０と通信するならば、ステップ１１６はスキップされてもよい。
【００３９】
ステップ１１８：認証コードを受け取ることにより、店頭交換装置３０がこの認証コードをデータベース３６に含まれる複数のコードと比較し、認証コードが承認される場合に、店頭交換装置３０が、現金、代用貨幣、産物又はその他の形式の第二の種類の通貨を引き渡す。多種多様な通貨が、第一の種類の通貨及び第二の種類の通貨のいずれとして使用されてもよく、店頭交換装置３０を用途の広い交換装置にする。
【００４０】
ステップ１２０：終了。
【００４１】
本発明は、店頭交換装置３０が、アクティブなインターネット接続を必要とすることなく機能する方法を提供する。店頭交換装置３０のデータベース３６は、定期的に、例えば一日に一度、一週間に一度又は必要に応じて、アップデートされてもよい。データベース３６がアップデートされるときに、店頭交換装置３０及び店頭交換装置会社サーバ４０を運営する会社に登録した新たな使用者に対応する情報と共に、新たな認証コードがデータベース３６に加えられてもよい。
【００４２】
要約すれば、本発明は、第二の種類の通貨と交換される第一の種類の通貨としての使用のために様々な異なる通貨、仮想通貨又は第三者支払システム通貨にアクセスする方法を提供する。さらに、店頭交換装置は、機能するためにインターネット接続を有する必要がない。モバイルコンピューティングデバイスのインターネット接続は、交換が行われることを可能にするために十分である。したがって、店頭交換装置は、様々な異なる場所に容易に配置されることができ、インターネット接続が無いことによって低い運営コストを有することができる。
【００４３】
当業者は、本発明の教示を保ったまま、本装置及び方法の数々の変更及び代替が行われ得ることに容易に気付くであろう。したがって、上記の開示は、添付の特許請求の範囲の境界のみによって限定されると解釈されるべきである。
【図１】
2017107521.tif 000003
【図２】
2017107521.tif 000004
【図３】
2017107521.tif 000005
【図４】
2017107521.tif 000006
【図５】
2017107521.tif 000007
【図６】
2017107521.tif 000008
【図７】
2017107521.tif 000009
【図８】
2017107521.tif 000010
【図９】
2017107521.tif 000011
【図１０】
2017107521.tif 000012
【図１１】
2017107521.tif 000013